(57)【特許請求の範囲】
【請求項１】
略板状の底盤部と、略矩形板状で前記底盤部の端部若しくは略中央に垂直に立設された壁面となる壁部とを備え、
前記底盤部には、前記壁部の側端面のいずれか一方または両方より張り出して延設された張出部が形成されていることを特徴とするプレキャストコンクリート躯体。
【請求項２】
前記底盤部は、略矩形状に形成されている請求項１記載のプレキャストコンクリート躯体。
【請求項３】
前記壁部の基端部には、ハンチが形成され、
前記ハンチの上部には、水平面が形成されている請求項１または２記載のプレキャストコンクリート躯体。
【請求項４】
略板状の底盤部と略矩形板状で前記底盤部の端部若しくは略中央に垂直に立設された壁面となる壁部とを備えたプレキャストコンクリート躯体であり、前記底盤部には、前記壁部の側端面のいずれか一方または両方より張り出して延設された張出部が形成され、前記底盤部と隣接させた他のプレキャストコンクリート躯体の底盤部とを当接若しくは接近させて配置されたプレキャストコンクリート躯体と、
前記壁部と隣接させた他のプレキャストコンクリート躯体の壁部との間に配設された住宅設備とを備えたことを特徴とするプレキャストコンクリート躯体を用いた建築物。
【請求項５】
略板状の底盤部と略矩形板状で前記底盤部の端部若しくは略中央に垂直に立設された壁面となる壁部とを備えたプレキャストコンクリート躯体であり、前記底盤部には、前記壁部の側端面のいずれか一方または両方より張り出して延設された張出部が形成されたプレキャストコンクリート躯体を、隣接させた他のプレキャストコンクリート躯体と、底盤部同士を当接若しくは接近させて設置面に配置する躯体配設工程と、
前記プレキャストコンクリート躯体を前記設置面に固定する固定工程と、
前記壁部と前記他のプレキャストコンクリート躯体の壁部との間に前記住宅設備を配設する設備配設工程とを備えたことを特徴とする建築物の建築工法。
【請求項６】
前記固定工程では、
前記底盤部と隣接する底盤部との間の隙間の前端部および後端部を仕切部材で仕切って該隙間を囲う工程と、
前記隙間に、充填材を注入する工程と、
前記設置面に基礎用のコンクリートを打設して前記底盤部を含む基礎を形成する工程とを含む請求項５記載の建築物の建築工法。
【請求項７】
前記躯体配設工程では、前記プレキャストコンクリート躯体を設置面に配置した後、前記底盤部と隣接する底盤部とを連結金具により連結する工程を含む請求項５または６記載の建築物の建築方法。
【発明の詳細な説明】
【技術分野】
【０００１】
本発明は、住宅や低層集合住宅、低層オフィスビル、低層テナントビル、店舗等を、鉄筋コンクリート造または鉄筋コンクリート造一部鉄骨造、若しくは一部木造等の混構造で建築する際に、少ない工数と短い工期とで建設することができるプレキャストコンクリート躯体及びそれを用いた建築物並びにその建築工法に関する。
【背景技術】
【０００２】
住宅や低層のビル等の建築においては、耐震性や耐久性を確保するだけでなく、環境や近隣社会への負荷を低減し、且つ、建設コストを低減する観点から工期の短縮が求められている。そのためには建築に要する工数が低減できることが重要である。このような要求から、板状の底盤部に壁面となる壁部が立設されたプレキャストコンクリート躯体を用いた建築物が提案されている。
【０００３】
例えば、特許文献１には、底盤部と同底盤部の一端から略９０度上方に延設された壁部とを備えたプレキャスト製のＬ型壁を、地盤上または基礎採石上に複数個組み合わせて平面形状が多角形の外周壁を形成し、さらに同外周壁の上部に屋根材を取付けたＬ型壁を用いた建築物が記載されている。
【０００４】
また、特許文献２には、略矩形板状の底盤部と、略矩形板状で前記底盤部の略中央に立設された壁部とを備えたプレキャストコンクリート躯体が、底盤部の外周面に配設され裏面にアンカー部が配設された壁面固定部材と、基礎に配設され裏面にアンカー部が配設された基礎固定部材とに、基礎底盤間固定材を介在させて溶接することで、固定されたプレキャストコンクリート躯体を用いた建築物が記載されている。
この特許文献１，２に記載のプレキャストコンクリート躯体（以下、従来のＰＣ躯体と称する。）は、いずれも底盤部と壁部とが同幅に形成されている。
【先行技術文献】
【特許文献】
【０００５】
【特許文献１】特開平７−９０９２７号公報
【特許文献２】特許第４０３９９８７号公報
【発明の概要】
【発明が解決しようとする課題】
【０００６】
この従来のＰＣ躯体を用いて建築物を建築する場合には、壁部の側端面と、隣接する他の従来のＰＣ躯体の壁部の側端面を対向させ、横並びに配置する。その際に、連続した壁面を構築する場合には、壁部が隙間無く配置される。また、従来のＰＣ躯体同士の間に、窓や玄関などの建具や、空調のための配管や換気のための壁孔などの住宅設備を設けるときには、壁部が所定間隔を空けて配置される。
【０００７】
従来のＰＣ躯体を配置するときに設置安定性を向上させ、構造強度を高めるために、底盤部の周囲全体に基礎用のコンクリートを打設して固定するのが望ましい。従って、底盤部と壁部とのそれぞれの幅が同じである場合に、壁部を隙間無く配置すると、底盤部同士の間に充填されるコンクリートは不要となるが、壁部同士の間に建具を配置するために隙間を空けて配置するときには、隣接する底盤部同士の間にコンクリートを打設することになる。そうなると、コンクリートを打設するための作業量が増大したり、固化するための時間を要したりする。
【０００８】
そこで本発明は、壁部同士の間に住宅設備を設ける場合でも、設置安定性を維持しつつ、作業量の増大を抑制し、工数の低減を図ることができるプレキャストコンクリート躯体及びそれを用いた建築物並びにその建築工法を提供することを目的とする。
【課題を解決するための手段】
【０００９】
本発明のプレキャストコンクリート躯体は、略板状の底盤部と、略矩形板状で前記底盤部の端部若しくは略中央に垂直に立設された壁面となる壁部とを備え、前記底盤部には、前記壁部の側端面のいずれか一方または両方より張り出して延設された張出部が形成されていることを特徴とする。
【００１０】
本発明のプレキャストコンクリート躯体を用いた建築物は、略板状の底盤部と略矩形板状で前記底盤部の端部若しくは略中央に垂直に立設された壁面となる壁部とを備え、前記底盤部には、前記壁部の側端面のいずれか一方または両方より張り出して延設された張出部が形成され、前記底盤部と隣接させた他のプレキャストコンクリート躯体の底盤部とを当接若しくは接近させて配置されたプレキャストコンクリート躯体と、前記壁部と隣接させた他のプレキャストコンクリート躯体の壁部との間に配設された住宅設備とを備えたことを特徴とする。
【００１１】
本発明の建築物の建築工法は、略板状の底盤部と略矩形板状で前記底盤部の端部若しくは略中央に垂直に立設された壁面となる壁部とを備えたプレキャストコンクリート躯体であり、前記底盤部には、前記壁部の側端面のいずれか一方または両方より張り出して延設された張出部が形成されたプレキャストコンクリート躯体を、隣接させた他のプレキャストコンクリート躯体と、底盤部同士を当接若しくは接近させて設置面に配置する躯体配設工程と、前記プレキャストコンクリート躯体を前記設置面に固定する固定工程と、前記壁部と前記他のプレキャストコンクリート躯体の壁部との間に前記住宅設備を配設する設備配設工程とを備えたことを特徴とする。
【００１２】
本発明によれば、底盤部に、壁部の側端面のいずれか一方または両方より張り出して延設された張出部が形成されているので、壁部同士の間に住宅設備を配設するための空間を確保しても、隣接する他のプレキャストコンクリート躯体の底盤部を当接若しくは接近させた状態で配置することができる。従って、本発明は、壁部の間に住宅設備を配設する隙間を確保しつつ、底盤部同士を隙間無く配置することができるので、底盤部同士の間へのコンクリートの打設を不要とすることができる。
【００１３】
本発明のプレキャストコンクリート躯体としては、前記底盤部が、略矩形状に形成されているのが望ましい。略矩形状に底盤部が形成されていれば、底盤部を横並びに配置したときに、底盤部同士の間を隙間なく配置することができるので、基礎用のコンクリートを少なくすることができる。
【００１４】
また、前記壁部の基端部には、ハンチが形成され、前記ハンチの上部には、水平面が形成されているのが望ましい。
壁部の基端部に形成されたハンチの上部が水平面であると、床スラブを形成するときの基台として使用することができる。
【００１５】
本発明の建築物の建築工法としては、前記固定工程では、前記底盤部と隣接する底盤部との間の隙間の前端部および後端部を仕切部材で仕切って該隙間を囲う工程と、前記隙間に、充填材を注入する工程と、前記設置面に基礎用のコンクリートを打設して前記底盤部を含む基礎を形成する工程とを含むのが望ましい。
底盤部同士を当接若しくは接近させて設置面に配置して、基礎用のコンクリートを打設すると、底盤部同士の間は隙間が狭いので、粘性の高い基礎用のコンクリートでは浸入しにくい。そこで、隙間の前端部および後端部を仕切部材で仕切ることで隙間を囲い、その隙間に充填材を注入すれば、少しの隙間でも十分な充填材を注入することができるので、本発明のプレキャストコンクリート躯体をより強固に固定することができる。
【００１６】
前記躯体配設工程では、前記プレキャストコンクリート躯体を設置面に配置した後、前記底盤部と隣接する底盤部とを連結金具により連結する工程を含むのが望ましい。
前記プレキャストコンクリート躯体を前記設置面に固定する固定工程の前では、本発明のプレキャストコンクリート躯体が設置面に載置されているだけである。底盤部が壁面の幅より広く形成されているため、安定性は従来のプレキャストコンクリート躯体より増しているが、固定工程を行うまでの期間に地震や風水害などのおそれもある。そこで、連結金具により底盤部と隣接する底盤部とを連結することで、底盤部同士を一体的とすることができるので、安定性が増す。
【発明の効果】
【００１７】
本発明の構成によれは、壁部同士の間に住宅設備を配設するための空間を確保しても、隣接する他のプレキャストコンクリート躯体の底盤部と当接若しくは接近させて配置することができるので、底盤部同士の間のコンクリートの量を少ないものとすることができる。従って、本発明は、壁部同士の間に住宅設備を設ける場合でも、設置安定性を維持しつつ、作業量の増大を抑制し、工数の低減を図ることができる。
【図面の簡単な説明】
【００１８】
【図１】本発明の実施の形態に係るプレキャストコンクリート躯体を示す斜視図である。
【図２】図１に示すプレキャストコンクリート躯体を用いた建築物の躯体配設工程が完了した状態を示す斜視図である。
【図３】図１に示すプレキャストコンクリート躯体を連結するための連結金具を説明するための図であり、（Ａ）は連結した状態を示す斜視図、（Ｂ）は一部平面図、（Ｃ）一部断面図である。
【図４】充填工程を説明するための図であり、（Ａ）は平面図、（Ｂ）は（Ａ）に示すＡ部拡大図である。
【図５】他の充填工程を説明するための平面図である。
【図６】本実施の形態に係るプレキャストコンクリート躯体の第１変形例を説明するための平面図である。
【図７】本実施の形態に係るプレキャストコンクリート躯体の第２変形例を説明するための平面図であり、（Ａ）は壁部が底盤部の一方の端部まで形成されている例を示す図、（Ｂ）は壁部より底盤部が幅広に形成されている例を示す図である。
【発明を実施するための形態】
【００１９】
本発明の実施の形態に係るプレキャストコンクリート躯体（以下、単にＰＣ躯体と称する。）を図１に基づいて説明する。
【００２０】
図１に示すようにＰＣ躯体１は、底盤部２と、壁部３と備えている。
底盤部２は、横幅Ｗ１が約１．８ｍ、奥行きＤ１が約１．５ｍ、厚みＴ１が約１５ｃｍから約３５ｃｍ（本実施の形態では約２５ｃｍ）の略矩形板状に形成されている。底盤部２は、壁部３の側面小口面である両方の側端面３ａより張り出して延設された張出部２ａが形成されていることで、壁部３より幅広に形成されている。張出部２ａは、約１０ｃｍから約５０ｃｍまで必要な幅に応じて決定することができる。本実施の形態では、張出部２ａは、それぞれ約１５ｃｍに形成されている。
【００２１】
壁部３は、高さとして２〜６ｍ程度のものが好適に用いられる。ＰＣ躯体１を、６ｍ程度の高さの壁部３とし、壁部３の高さの中ほどに床スラブを設けることにより、２階建の建物を建設することができる。本実施の形態の壁部３では、横幅Ｗ２が約１．５ｍ、高さＨ２が６ｍ、厚みＴ２が約２０ｃｍの略矩板形状に形成されている。壁部３は、底盤部２の略中央に垂直に立設されている。壁部３の基端部となる、壁部３と底盤部２との取り合い部分には、ハンチ４が設けられている。
【００２２】
壁部３には、側面小口面である側端面３ａ，上面３ｂ，正面３ｃ，背面３ｄに、柱や梁、桁材等の軸組部材や建具枠等を螺子止め等の手段によって接合するためのインサート等の接合具を埋設することができる。また、軸組部材を溶接によって接合するための固定部材を埋設することもできる。
ハンチ４は、垂直断面が略台形状に形成されていることで、壁部３の正面３ｃから水平方向に延びる水平面４ａが上部に設けられている。
【００２３】
このように形成されたＰＣ躯体１を用いた建築物を図２に基づいて説明する。
建築物Ｂは、横並びに配設されたＰＣ躯体１と、ＰＣ躯体１と交互に配置された窓５１と、１階床スラブ５２と、２階床スラブ５３と、天井５４と、換気管５５を備えている。
詳しくは、ＰＣ躯体１は、それぞれの底盤部２の正面小口面である前端面２ｂを揃え、隣接する他のＰＣ躯体１の底盤部２の側面小口面である側端面２ｃ同士が当接若しくは接近させて、設置面上に配設されている。側端面２ｃ同士の間は、当接する程度に近づけることが可能であるが、ＰＣ躯体１の設置の微調整を行うときに、底盤部２同士が擦れ合うことを考慮すれば、数ｃｍから約１０ｃｍ程度まで離間させた状態が望ましい。本実施の形態では、ＰＣ躯体１は、幅狭の窓５１ａが設けられた２つのＰＣ躯体１の間は約２ｃｍ離間し、幅広の窓５１ｂが設けられた２つのＰＣ躯体１の間は約６０ｃｍ離間している。ＰＣ躯体１は、互いを当接若しくは接近させなくても、その間に配設される住宅設備が必要とする幅に応じて離間させることが可能である。
【００２４】
ＰＣ躯体１は、隣接する他のＰＣ躯体１と、底盤部２同士が、図３に示す連結金具６により連結されている。連結金具６は、２つの底盤部２に跨る連結板６１と連結板６１の両端を固定する１本以上の固定用ボルト６２とにより構成されている。この連結金具６は、壁部３を挟んで底盤部２の前部と後部の２箇所に設けられている。
【００２５】
窓５１は、住宅設備として、壁部３と隣接する他の壁部３との間の空間の１階部分と２階部分とに配設されている。窓５１は、図２に示す例では、フィックス窓、ルーバー窓、上げ下げ窓とすることができる。窓５１は、壁部３に図示しない固定部材を介して固定されている。また、住宅設備である換気管５５は、幅狭の窓５１ａが設けられた２つのＰＣ躯体１の間には、天井５４の上方である天井裏に配管されている。
ここで「住宅設備」とは、腰高窓だけでなく、掃き出し窓の他、一般的に窓と称されるものや、玄関などの建具、壁面を貫通する給水配管や配電線、換気のためのファンや換気孔などを含む。
【００２６】
次に、本発明の実施の形態に係る建築物の建築工法について、図２から図４を参照しながら説明する。
図２に示す建築物Ｂの建築工法は、まず、地盤上の基礎形成範囲または、ＰＣ躯体１を設置する部分のみにコンクリートを打設して、捨てコンクリート面を形成する設置面形成工程を行う。本実施の形態では、ＰＣ躯体１を設置する部分のみに捨てコンクリート面Ｓ１を形成して設置面とする。
【００２７】
次に、ＰＣ躯体１を、壁部３の壁面の位置を横並びに合わせて配設する躯体配設工程を行う。このとき底盤部２同士が当接若しくは接近させて配設する。ＰＣ躯体１と隣接する他のＰＣ躯体１との底盤部２同士を、図３（Ａ）から同図（Ｃ）に示すように、連結金具６により連結してＰＣ躯体１を固定する。ＰＣ躯体１は、底盤部２が壁部３より幅広に形成されているため、安定性は壁部と底盤部との幅が同じ従来のプレキャストコンクリート躯体より増している。しかし、基礎用のコンクリートを打設する固定工程を行うまでの期間に、地震や風水害などのおそれもあるため、連結金具６により底盤部２と隣接する底盤部２とを連結しておくことで、底盤部２同士を一体的とすることができるので、安定性が増す。
この連結金具６による底盤部２同士の連結は、省略することが可能である。
【００２８】
躯体配設工程が完了すると、次に、固定工程を行う。
固定工程では、まず、図４（Ａ）および同図（Ｂ）に示すように、底盤部２の側端面２ｃ同士の間の隙間を囲う工程を行う。
この工程では、底盤部２と隣接する底盤部２との間の隙間Ｓ２を前端部および後端部とを仕切部材であるシール材９で仕切って、この隙間Ｓ２を囲う。そうすることで、シール材９で底盤部２の隙間Ｓ２を区画し、この後の工程で隙間Ｓ２に注入する充填材が流出しないようにすると共に基礎用のコンクリートが流入しないようにする。シール材９としては硬化時間が短い早強セメントが使用できる。
【００２９】
そして、底盤部２の隙間に充填材を注入する充填工程を行う。この充填材は、基礎用のコンクリートより粘性が低く、固化することで接着材として機能するもので、無収縮性のモルタルが使用できる。
【００３０】
例えば、壁部と底盤部との幅が同じに形成された従来のＰＣ躯体では、幅の小さい小窓や換気孔等の住宅設備を配設するときに、それぞれを小さい間隔で配置することになる。しかし、底盤部の側端面間の間隔が、住宅設備の幅しかなく狭いため、後打設するコンクリートが十分に底盤部の側端面間の隙間に入らず、充填不良などが起きやすく、施工性が悪い。
【００３１】
しかし、本実施の形態に係る建築工法では、充填工程にてシール材９で底盤部２の隙間Ｓ２を囲って、充填材を注入して固化させることで、底盤部２同士の隙間が小さく、基礎用のコンクリートがその隙間に浸入しにくい場合でも、ＰＣ躯体１をより強固に固定することができる。このようにして、簡単に底盤部２同士の隙間を埋めることができる。
【００３２】
本実施の形態では、シール材９で隙間Ｓ２を囲っているが、図５に示すように、底盤部２の前端面２ｂ同士および後端面２ｄ同士の間に仕切部材である仕切板９１を渡し、外側からブロック９２で仕切板９１を支えて、底盤部２の隙間Ｓ２を囲うようにしてもよい。そうすることで、充填材が固化すれば、仕切り板８１およびブロック９２は取り除くことができるので、特別な治具など準備することなく充填工程を行うことができる。
また、仕切板９１を外側からブロック９２で支えて、底盤部２の隙間Ｓ２を囲うことの他に、予め底盤部２の前端面２ｂおよび後端面２ｄに孔を開設しておくことで、ボルトにより仕切り板９１を固定するようにしてもよい。つまり、充填材を注入する際に漏れ出る心配がないものであれば仕切部材として使用することができる。仕切り板９１は取り除かない場合には、ボルトで固定した状態で、そのまま放置してもよい。
【００３３】
次に、基礎形成工程を行う。基礎形成工程は、まず、建築物Ｂが建築される地盤面上に基礎鉄筋や地中梁鉄筋などの鉄筋を配筋する。本実施の形態では、図２に示すように基礎としてベタ基礎１０を形成する。鉄筋Ｒは、幅狭の窓５１ａが設けられた２つのＰＣ躯体１の間には配設できないが、幅広の窓５１ｂが設けられた２つのＰＣ躯体１の間には配設されている。そして、底盤部２と同厚かまたは薄い厚みにコンクリートを打設することでベタ基礎１０を形成する。
ベタ基礎１０が形成されたことで、横並びした底盤部２の周囲が打設コンクリートにより包囲されるので、より強固に固定することができる。
【００３４】
基礎形成工程を行うと、次に、ベタ基礎１０とプレキャストコンクリート躯体１とを外殻構造として、内部に木造や鉄骨造等の図示しない梁組，床組，内部間仕切り等を行うことで、建築物Ｂを建設することができる。図２では、窓５１と、１階床スラブ５２および２階床スラブ５３とを設置している。ハンチ４の上部には、水平面４ａが設けられているため、１階床スラブ５２を安定して支持することができる。また、ハンチ４が壁部３と底盤部２との取り合い部分に設けられているので、負荷が最も掛かる壁部３の基端部の破断耐久性を向上させることができる。
【００３５】
壁部３の側端面３ａ，上面３ｂ，正面３ｃ，背面３ｄに埋め込まれたインサート等の接合具や、軸組部材を溶接によって接合するための固定部材に、柱や梁、桁材等の軸組部材や建具枠等を、螺子止め等の手段によって接合する。
梁組、床組は、木造や鉄骨造を用いることができる。これらの構造の技術は一般化されており、かつ加工自由度の高いこれらの構造を用いることにより、一般の作業者が確実に施工することができ、建物の計画に自由度を高めることができる。また、地震力や風荷重など建物に作用する水平外力に対してはＰＣ躯体１によって対抗する構造となることにより、躯体間の外壁や建物内部の間仕切りは構造的な負担が大幅に軽減されるため、施工が簡略化でき、建設工程の省力化を図ることができる。
【００３６】
このように、ＰＣ躯体１は、底盤部２に壁部３の側端面３ａから張り出した張出部２が設けられているので、底盤部２同士を接するように配置しても、壁部３同士の間に空間が確保できる。つまり、壁部３同士の間に窓５１や換気管５５などの住宅設備を設けるための空間を確保しても、底盤部２は隣接した他の底盤部２と接するように配設することができるので、底盤部２同士の間にコンクリートを打設する必要がない。従って、底盤部と壁部とが同じ幅の従来のＰＣ躯体を、住宅設備を壁部の間に配置するために底盤部同士の間に必要な隙間を空けて配設した場合と比較して、ベタ基礎１０を形成するためのコンクリートの打設量を減らせることができる。よって、ＰＣ躯体１を用いた建築物Ｂは、現場での打設コンクリート量を減少させ、施工性を高めることができるので、設置安定性を維持しつつ、作業量の増大を抑制し、工数の低減を図ることができる。
【００３７】
また、ＰＣ躯体１は、底盤部２が壁部３の幅より広く形成されていることで、底盤部と壁部とが同じ幅の従来のＰＣ躯体より安定性が高いので、高さが高い壁部３を形成することができる。
【００３８】
次に、本発明の実施の形態に係るＰＣ躯体の変形例を図面に基づいて説明する。
まず、図６に示す第１変形例を説明する。第１変形例では、ＰＣ躯体１１，１２は、いずれも壁部３が底盤部２１，２２の端部に立設されている。
例えば、底盤部２の略中央に壁部３が立設されたＰＣ躯体１（図１参照）であれば、前後のバランスがよいので安定性が高い。しかし、壁部３が底盤部２の略中央に立設されていると、壁部３の背面側にも底盤部２が張り出しているため、ＰＣ躯体１が他人の敷地と近い位置に配設される場合では、他人の敷地のぎりぎりまで底盤部２の後部が近づくことになる。
壁部３が底盤部２１，２２の端部に立設されていると、安定性の面ではＰＣ躯体１より劣るものの、底盤部２１，２２の後端を壁面とすることができるので、敷地を有効に活用することができる。
【００３９】
ＰＣ躯体１１の底盤部２１は、壁部３の両方の側端面３ａから張り出した張出部２ａ，２ａが形成されているが、ＰＣ躯体１２の底盤部２２は、壁部３の一方の側端面３ａから張り出した張出部２ａのみしか形成されていない。
また、ＰＣ躯体１２は、張出部２ａが壁部３の一方の側端面３ａからしか張り出していないので、壁部３同士の間に住宅設備を設けずに、壁部と底盤部との幅が同じＰＣ躯体１００を隣接させて、壁面を連続して形成するような場合に好適である。
【００４０】
次に、図７に示す第２変形例を説明する。第２変形例では、建築物のコーナーを形成する際に好適なＰＣ躯体１３〜１６を説明する。
【００４１】
図７（Ａ）に示すＰＣ躯体１３，１４の底盤部２３，２４は、一方には張出部２ａが設けられ、他方は、壁部３から前方へ向かうに従って徐々に底盤部２３，２４の幅が狭くなるような略台形状に形成されている。このような底盤部２３，２４を有するＰＣ躯体１３，１４の斜辺同士を合わせて配置することで、一方では隣接するＰＣ躯体１１との間に住宅設備が配置でき、他方ではコーナーとして壁部３同士を接するように配置しつつ、なす角度を直角とすることができる。
【００４２】
図７（Ｂ）に示すＰＣ躯体１５，１６は、底盤部２５，２６に壁部３の両方の側端面３ａから張り出した張出部２ａが設けられているが、底盤部２５，２６は、図７（Ａ）に示すＰＣ躯体１３，１４と同様に、壁部３から前方へ向かうに従って徐々に底盤部２３，２４の幅が狭くなるような略台形状に形成されている。
このように底盤部２５，２６が形成されていることで、壁部３同士は離間するが、２枚の壁部３のなす角度を直角とすることができる。
【００４３】
以上、本発明の実施の形態について説明してきたが、本発明は前記実施の形態に限定されるものではなく、例えば、本実施の形態に係る建築物Ｂでは、ＰＣ躯体１を捨てコンクリート面Ｓ１に配設して底盤部２の周囲全体をコンクリートにより包囲することで、ベタ基礎１０を形成すると共に、ＰＣ躯体１の固定を行っていたが、ベタ基礎や布基礎を形成した上に、例えば、アンカーボルトやボルト等による接合、溶接等により基礎面に固定するようにしてもよい。また、ＰＣ躯体１の接合、溶接により固定をした上で、更にコンクリートを打設するようにしてもよい。
【００４４】
更に、第１，２変形例では、壁部が底盤部の端部に立設しているが、壁部が底盤部の略中央に立設されているようにしてもよい。
【産業上の利用可能性】
【００４５】
本発明は、住宅や低層集合住宅，低層オフィスビル，低層テナントビル，診療所，コンビニエンスストア，ファーストフード店舗等を、鉄筋コンクリート造一部鉄骨造又は鉄筋コンクリート造一部木造等の混構造で建築する際に最適なプレキャストコンクリート躯体及びそれを用いた建築物並びに建築工法に好適である。
【符号の説明】
【００４６】
１  プレキャストコンクリート躯体
２  底盤部
２ａ  張出部
２ｂ  前端面
２ｃ  側端面
２ｄ  後端面
３  壁部
３ａ  側端面
３ｂ  上面
３ｃ  正面
３ｄ  背面
４  ハンチ
４ａ  水平面
５１  窓
５２  １階床スラブ
５３  ２階床スラブ
５４  天井
５５  換気管
６  連結金具
６１  連結板
６２  固定用ボルト
９  シール材
９１  仕切板
９２  ブロック
９３  隙間
１０  ベタ基礎
Ｂ  建築物
Ｒ  鉄筋
Ｓ１  コンクリート面
Ｓ２  隙間
【図１】
0005440776.tif 000002
【図２】
0005440776.tif 000003
【図３】
0005440776.tif 000004
【図４】
0005440776.tif 000005
【図５】
0005440776.tif 000006
【図６】
0005440776.tif 000007
【図７】
0005440776.tif 000008